(57)【要約】【課題】簡単な構造で排水器の高さを低くし、ネジ代を低くすることなく、雌ねじ部材の高さ分排水器の高さを低くする。【解決手段】排水器２、排水器２に構成された槽体１からの排水が排水器２内へと流入するための流入口２３、排水器２の側面に構成された、他の管体との接続を行う接続口２４、排水器２の流入口２３の上端に外側方向に向けて飛び出して構成されるフランジ部２５、排水器２の外周側面に構成された取付部２１、取付部２１に排水器２とは別体で脱着可能に取り付けられて、排水器２取付時、上面視外周縁が接続口２４以上に外側に達し、内側面は排水器２の取付部２１外側面と略同一に構成するとともに、外周面に係合部３１を構成した係合部材３、リング体であって、上端に槽体１の裏側に当接する当接部４２を有し、内周に前記係合部３１と回転して係合する被係合部４１を備えた被係合部材４と、から構成した。【選択図】図１
2015206195.tif 000002
【特許請求の範囲】
【請求項１】
排水口１１を開口した槽体１と、
槽体１の排水口１１に備えられた排水器２と、
排水器２に構成された槽体１からの排水が排水器２内へと流入するための流入口２３と、
排水器２の側面に構成された、他の管体との接続を行う接続口２４と、
排水器２の流入口２３の上端に外側方向に向けて飛び出して構成されるフランジ部２５と、
排水器２の外周側面に構成された取付部２１と、
取付部２１に排水器２とは別体で脱着可能に取り付けられて、排水器２取付時、上面視外周縁が接続口２４以上に外側に達し、内側面は排水器２の取付部２１外側面と略同一に構成するとともに、外周面に係合部３１を構成した係合部材３と、
リング体であって、上端に槽体１の裏側に当接する当接部４２を有し、内周に前記係合部３１と回転して係合する被係合部４１を備えた被係合部材４と、
から構成したことを特徴とする排水器の取付構造。
【請求項２】
前記係合部３１を凸部７又は凹溝６から構成し、該係合部３１に対応した凸部７又は凹溝６を被係合部４１に構成したことを特徴とする前記請求項１に記載の排水器の取付構造。
【請求項３】
前記係合部３１を雄ねじとし、前記被係合部４１を雌ねじとしたことを特徴とする前記請求項１に記載の排水器の取付構造。
【請求項４】
前記雄ねじ又は雌ねじのどちらか一方が全周に渡って螺設されると共に、それに対応する雄ねじ又は雌ねじの他方を任意の箇所の少なくとも一カ所以上雄ねじを構成しない箇所を備えたことを特徴とする前記請求項３に記載の排水器の取付構造。
【請求項５】
前記係合部材３を、複数分割して構成される分割体から構成したことを特徴とする前記請求項１乃至請求項４のいずれか一つに記載の排水器の取付構造。
【請求項６】
前記係合部材３を、上面視外周の中心と、上面視内側面の中心とを偏芯して構成するとともに、係合部材３が排水器２の取付部２１に取り付けられた状態時の上面視係合部材３の外周と内側面の幅が最大となる箇所は排水器２の接続口２４付近となるようにしたことを特徴とする前記請求項５に記載の排水器の取付構造。
【請求項７】
前記係合部材３を、一部切り欠いて構成された切り欠き部を備えた上面視Ｃ字リングとしたことを特徴とする前記請求項１乃至請求項４のいずれか一つに記載の排水器の取付構造。
【請求項８】
前記係合部材３を、上面視外周の中心に対し内側面の中心を偏芯させて構成し、当該切り欠き部を流出口と対抗させて排水器２の取付部２１に挿入して取り付けることを特徴とする前記請求項７に記載の排水器の取付構造。
【請求項９】
前記排水器２の取付部２１に、係合部材３が取り付けられた際の切り欠き部の部分を一部突出させて外周に係合部３１の一部を構成した第２係合部３２を構成したことを特徴とする前記請求項７又は請求項８に記載の排水器の取付構造。
【請求項１０】
前記係合部材３に廻り止め部３３を構成し、それに対応する受け部２２を取付部２１に構成したことを特徴とする前記請求項１乃至請求項９のいずれか一つに記載の排水器の取付構造。
【請求項１１】
前記排水口１１の裏面と排水器２の係合部材３と被係合部材４の間に、被係合部材４の押し上げ力を排水口１１の裏面に作用させる為の土台部材５を構成したことを特徴とする前記請求項１乃至請求項１０のいずれか一つに記載の排水器の取付構造。
【発明の詳細な説明】
【技術分野】
【０００１】
本発明は、浴槽や流し台、洗面台や各種槽体の排水口に取り付ける排水器において槽体と排水器を取り付ける構造に関するものである。
【背景技術】
【０００２】
本従来例の排水器の取付構造は、台所の流し台に用いられる。
本従来例の排水器の取付構造は、槽体と、排水器と、雌ねじ部材と、排水管と、から構成されている。
槽体は、箱体の流し台であって、底部に排水を排水器側へと排水させるための排水口を開口している。
排水器は、前記槽体の排水口に水密的に取り付けられる有底筒状の箱体であって、流入口と、流出口と、フランジ部と、雄ねじ部と、から構成される。
流入口は、排水口の上端に位置して、槽体内の排水を排水器内部に流入させるための入り口の開口である。
流出口は、排水器内部の排水を排水器外へと排出する為のものであって、排水器の側面から排水勾配を有した角度を備えつつ略水平方向へ向かって延出して構成される。
フランジ部は、排水器の流入口側の上端に、外側方向に向けて鍔状に飛び出す形状を成す。また、施工時には当該フランジ部は水密部材を介して排水口に係止される。
雄ねじ部は、排水器の外周に螺設される雄ねじであって、後述する雌ねじ部材と螺合する。また、雄ねじ部はフランジ部の直下位置に螺設される。
雌ねじ部材は、内周に雌ねじを螺設したリング体であって、排水器の雄ねじ部と螺合する。また、施工の際には雌ねじ部材は排水器の雄ねじ部と螺合して雌ねじ部材が上方に移動し、槽体の排水口の裏面に当接する。このとき、排水器は槽体の排水口にフランジ部によって係止されている為、槽体の排水口を、フランジ部と雌ねじ部材によって挟むことによって排水器を槽体に取り付けることができる。
排水管は、流出口に接続される管体であって、途中箇所に排水トラップと呼ばれる内部に排水の一部を貯水して封水を備えて、下流からの臭気や害虫を室内側へと流入させないようにする部材を介在させて、最終的には下水管へと接続される部材である。（特許文献１）
【０００３】
上記の従来例である排水器の取付構造は以下のように施工される。
槽体の排水口に排水器を挿入する。この際、排水器より側方に飛び出して構成される流出口があるため、先に流出口側を排水口内に挿入し、排水器のフランジ部を水密部材を介して槽体の排水口に係止させる。その後、雌ねじ部材を槽体の裏側から排水器の外周を通過させ、雌ねじ部材の雌ねじと排水器の雄ねじを螺合させ、締めつけてゆく。そうすると雌ねじ部材が上方に押し上げられ、槽体の排水口の裏面近傍を押しけられ、排水器はフランジ部によって排水口に係止されているので、雌ねじ部材の押し上げとフランジ部の係止により排水口を挟み込んで固定され、槽体と排水器が水密的に接続されることとなる。その後、排水器の流出口に排水管を接続し、本従来例の排水器の施工は完了する。
【０００４】
前記した排水器の取付構造の排水の流れは以下のようになる。
槽体上に排水が発生すると、槽体の排水口に取り付けられた排水器の流入口から排水器内に排水が流入する。そして、排水器の側面に構成された流出口から排水管へ排水が排出され、排水器内の排水は排水器外へと排出される。排水管の排水は排水トラップを介して、最終的には下水管へと排出される。
【先行技術文献】
【特許文献】
【０００５】
【特許文献１】特開２００５−３４４４００号
【発明の概要】
【発明が解決しようとする課題】
【０００６】
従来例での排水器の取付構造では以下の問題があった。
まず、従来から台所や洗面台には槽体下に物を収納する収納スペースとしてキャビネット空間を備えていることが多い。このような場合、キャビネット内には収納物をたくさん収納したいため、できるだけ収納スペース内の排水器や排水管が邪魔にならないようにしたい。また、仮にキャビネットが備えられない槽体であったとしても、キャビネットが無い分、排水器や排水管外部に露出し、意匠性が悪いため、できるだけ排水管が外部に見えないようにする必要があった。
そこで、排水器の全高を低くする為に、流出口や例えばオーバーフロー等の配管などの接続口を排水器の側面に配置することが主流となった。
しかし、このように排水器の側面に接続口（流出口）を構成している排水器は、槽体の排水口より外側に接続口の端部が位置することになる。排水器と槽体の取付の為に雌ねじ部材を排水器の外周に構成した雄ねじ部に螺合させないとならないが、このときに雌ねじ部材内周が接続口及び排水器の外周が通過できる径にしなければならないが、雌ねじ部材と排水器の雄ねじ部も螺合せねばならない。よって、接続口の長さと、排水器の外側面の幅は相関関係がある。
また、雌ねじ部材は排水器の雄ねじ部と螺合させねばならないが、雌ねじ部材を雄ねじ部に螺合させるまでには雌ねじを雄ねじに対して略垂直に位置させないと螺合できない為、排水器の高さは少なくとも、雌ねじ部材自身の高さと、雄ねじ部のネジ代分の高さと、接続口の高さが必要になってしまう。上記のように排水器の高さを低くしようとした場合、接続口の高さは変更することが出来ないため、雄ねじ部であるネジ代の高さと、雌ねじ部材の高さを低くすることが必要となる。
しかし、ネジ代を小さく（低く）してしまうと、締めつけ力が低下してしまうという問題がある。
【０００７】
以上のことから、本願発明は以下の課題を解決する。
１．特別な機構を用いずに、簡単な構造で排水器の高さを低くする。 
２．ネジ代を低くすることなく、雌ねじ部材の高さ分排水器の高さを低くする。
【課題を解決するための手段】
【０００８】
請求項１に記載の排水器の取付構造は、排水口１１を開口した槽体１と、槽体１の排水口１１に備えられた排水器２と、排水器２に構成された槽体１からの排水が排水器２内へと流入するための流入口２３と、排水器２の側面に構成された、他の管体との接続を行う接続口２４と、排水器２の流入口２３の上端に外側方向に向けて飛び出して構成されるフランジ部２５と、排水器２の外周側面に構成された取付部２１と、取付部２１に排水器２とは別体で脱着可能に取り付けられて、排水器２取付時、上面視外周縁が接続口２４以上に外側に達し、内側面は排水器２の取付部２１外側面と略同一に構成するとともに、外周面に係合部３１を構成した係合部材３と、リング体であって、上端に槽体１の裏側に当接する当接部４２を有し、内周に前記係合部３１と回転して係合する被係合部４１を備えた被係合部材４と、から構成したことを特徴とする排水器の取付構造である。
【０００９】
請求項２に記載の排水器の取付構造は、前記係合部３１を凸部７又は凹溝６から構成し、該係合部３１に対応した凸部７又は凹溝６を被係合部４１に構成したことを特徴とする前記請求項１に記載の排水器の取付構造である。
【００１０】
請求項３に記載の排水器の取付構造は、前記係合部３１を雄ねじとし、前記被係合部４１を雌ねじとしたことを特徴とする前記請求項１に記載の排水器の取付構造である。
【００１１】
請求項４に記載の排水器の取付構造は、前記雄ねじ又は雌ねじのどちらか一方が全周に渡って螺設されると共に、それに対応する雄ねじ又は雌ねじの他方を任意の箇所の少なくとも一カ所以上雄ねじを構成しない箇所を備えたことを特徴とする前記請求項３に記載の排水器の取付構造である。
【００１２】
請求項５に記載の排水器の取付構造は、前記係合部材３を、複数分割して構成される分割体から構成したことを特徴とする前記請求項１乃至請求項４のいずれか一つに記載の排水器の取付構造である。
【００１３】
請求項６に記載の排水器の取付構造は、前記係合部材３を、上面視外周の中心と、上面視内側面の中心とを偏芯して構成するとともに、係合部材３が排水器２の取付部２１に取り付けられた状態時の上面視係合部材３の外周と内側面の幅が最大となる箇所は排水器２の接続口２４付近となるようにしたことを特徴とする前記請求項５に記載の排水器の取付構造である。
【００１４】
請求項７に記載の排水器の取付構造は、前記係合部材３を、一部切り欠いて構成された切り欠き部を備えた上面視Ｃ字リングとしたことを特徴とする前記請求項１乃至請求項４のいずれか一つに記載の排水器の取付構造である。
【００１５】
請求項８に記載の排水器の取付構造は、前記係合部材３を、上面視外周の中心に対し内側面の中心を偏芯させて構成し、当該切り欠き部を流出口と対抗させて排水器２の取付部２１に挿入して取り付けることを特徴とする前記請求項７に記載の排水器の取付構造である。
【００１６】
請求項９に記載の排水器の取付構造は、前記排水器２の取付部２１に、係合部材３が取り付けられた際の切り欠き部の部分を一部突出させて外周に係合部３１の一部を構成した第２係合部３２を構成したことを特徴とする前記請求項７又は請求項８に記載の排水器の取付構造である。
【００１７】
請求項１０に記載の排水器の取付構造は、前記係合部材３に廻り止め部３３を構成し、それに対応する受け部２２を取付部２１に構成したことを特徴とする前記請求項１乃至請求項９のいずれか一つに記載の排水器の取付構造である。
【００１８】
請求項１１に記載の排水器の取付構造は、前記排水口１１の裏面と排水器２の係合部材３と被係合部材４の間に、被係合部材４の押し上げ力を排水口１１の裏面に作用させる為の土台部材５を構成したことを特徴とする前記請求項１乃至請求項１０のいずれか一つに記載の排水器の取付構造である。
【発明の効果】
【００１９】
請求項１に記載の本発明は、取付部２１に排水器２とは別体で脱着可能に取り付けられて、排水器２取付時、上面視外周縁が接続口２４以上に外側に達し、内側面は排水器２の取付部２１外側面と略同一に構成するとともに、外周面に係合部３１を構成した係合部材３と、リング体であって、上端に槽体１の裏側に当接する当接部４２を有し、内周に前記係合部３１と回転して係合する被係合部４１を備えた被係合部材４と、から構成したことにより、排水器２の係合部３１を排水器２とは別部材とすることができ、また、被係合部材４が排水器２の接続口２４に干渉しないようになった。よって被係合部４１分の高さを低くすることができる。
請求項２に記載の本発明は、前記係合部３１を凸部７又は凹溝６から構成し、該係合部３１に対応した凸部７又は凹溝６を被係合部４１に構成したことから、回転ロック構造による係合取付とすることができる。
請求項３に記載の本発明は、係合部３１を雄ねじとし、前記被係合部材４の被係合部４１を雌ねじとしたことから、ネジ螺合による係合取付とすることができる。
請求項４に記載の本発明は、雌ねじが全周に螺設されると共に、雄ねじを任意の箇所の少なくとも一カ所以上雄ねじを構成しない箇所を備えたことから、係合部材３の形状の選択の幅が広がる。
請求項５に記載の本発明は、係合部材３を、複数分割して構成される分割体から構成したことから、特別な機構を採用せずとも係合部材３を取付部２１で合体させるだけで係合部材３を排水器２に取り付けることができるようになった。よって施工が簡単になった。
請求項６に記載の本発明は、係合部材３を、上面視外周の中心と、上面視内側面の中心とを偏芯して構成するとともに、係合部材３が排水器２の取付部２１に取り付けられた状態時の上面視係合部材３の外周と内側面の幅が最大となる箇所は排水器２の流出口付近となるようにしたことから、被係合部材４の押し上げ力を適切に排水器２のフランジ部２５に付与することができるようになった。よって、排水器２と槽体１から水漏れ等が発生することがない。
請求項７に記載の本発明は、係合部材３を、一部切り欠いて構成された切り欠き部を備えた上面視Ｃ字リングとしたことから、係合部材３の部材点数を少なくすることができる。
請求項８に記載の本発明は、係合部材３を、上面視外周の中心に対し内側面の中心を偏芯させて構成し、当該切り欠き部を流出口と対抗させて排水器２の取付部２１に挿入して取り付けることから、被係合部材４の押し上げ力を適切に排水器２のフランジ部２５に付与することができるようになった。よって、排水器２と槽体１から水漏れ等が発生することがない。
請求項９に記載の本発明は、排水器２の取付部２１に、係合部材３が取り付けられた際の切り欠き部の部分を一部突出させて外周に係合部３１の一部を構成した第２係合部３２を構成したことから、切り欠き部の係合部３１が存在しない箇所に係合部３１を備えることができ、ネジがうまく螺合できない、ということを防止することができる。
請求項１０に記載の本発明は、前記係合部材３に廻り止め部３３を構成し、それに対応する受け部２２を取付部２１に構成したことから、被係合部材４と係合部材３を係合させた際に供回りするようなことがない。
請求項１１に記載の本発明は、排水口１１の裏面と排水器２の係合部材３と被係合部材４の間に、被係合部材４の押し上げ力を排水口１１の裏面に作用させる為の土台部材５を構成したことから、被係合部材４の押し上げ力を排水器２のフランジ部２５に作用させることができるので、接続部から漏水が発生することがない。
【図面の簡単な説明】
【００２０】
【図１】実施例１の施工前の状態を示す斜視図である。
【図２】実施例１の排水器に係合部材を取り付けた状態を示す斜視図である。
【図３】実施例１の排水器の施工状態時を示す斜視図である。
【図４】実施例１の施工状態を示す、槽体裏面側からの斜視図である。
【図５】実施例１の断面図である。
【図６】実施例２の施工前の状態を示す斜視図である。
【図７】実施例２の排水器に係合部材を取り付けた状態を示す斜視図である。
【図８】実施例２の排水器の施工状態時を示す斜視図である。
【図９】実施例２の施工状態を示す、槽体裏面側からの斜視図である。
【図１０】実施例２の断面図である。
【図１１】実施例２における排水器と係合部材を示す底面図である。
【図１２】実施例３の施工前の状態を示す斜視図である。
【図１３】実施例３の排水器に係合部材を取り付けた状態を示す斜視図である。
【図１４】実施例３の排水器の施工状態時を示す斜視図である。
【図１５】実施例３の施工状態を示す、槽体裏面側からの斜視図である。
【図１６】実施例３の断面図である。
【図１７】実施例３における排水器と係合部材を示す底面図である。
【図１８】実施例４の施工前の状態を示す斜視図である。
【図１９】実施例４の排水器に係合部材を取り付けた状態を示す斜視図である。
【図２０】実施例４の排水器の施工状態時を示す斜視図である。
【図２１】実施例４の施工状態を示す、槽体裏面側からの斜視図である。
【図２２】実施例４の断面図である。
【図２３】その他の実施例を示す断面図である。
【図２４】その他の実施例を示す、係合部及び被係合部を凹溝又は凸部の構造および作用を示す側面図である。
【発明を実施するための形態】
【実施例１】
【００２１】
本実施例は、図１乃至図５に示される、台所の流し台に用いられる排水器の取付構造である。
本実施例の排水器２の取付構造は、槽体１と、排水器２と、係合部材３としての雄ねじ部材３と、被係合部材４としての雌ねじ部材４と、排水管と、から構成されている。
槽体１は、箱体の流し台であって、底部に排水を排水器２側へと排水させるための排水口１１を開口している。
排水器２は、前記槽体１の排水口１１に水密的に取り付けられる有底筒状の箱体であって、上面視円形状の流入口２３と、接続口２４と、フランジ部２５と、取付部２１と、から構成される。
流入口２３は、排水口１１の上端に位置して、槽体１内の排水を排水器２内部に流入させるための入り口の開口である。
接続口２４は、排水器２内部の排水を排水器２外へと排出する為のものであって、排水器２の側面から排水勾配を有した角度を備えつつ略水平方向へ向かって延出して構成される。
フランジ部２５は、排水器２の流入口２３側の上端に、外側方向に向けて鍔状に飛び出す形状を成す。また、施工時には当該フランジ部２５は水密部材を介して排水口１１に係止される。
取付部２１は、排水器２の外周のフランジ部２５の下方に構成される溝であって、後述する雄ねじ部材３が当該取付部２１に嵌め込まれる。また、当該取付部２１には、後述する廻り止め部３３と合致して雄ねじ部材３が排水器２に対して回転しないようにする為の受け部２２を構成する。当該受け部２２は本実施例においては取付部２１に構成した複数の突起から成る。
係合部材３としての雄ねじ部材３は、図１に示すように、前記排水器２の取付部２１に嵌め込まれる部材であって、雄ねじ部材３を取付部２１に取り付けた状態時では上面視リング状の円形状であって、外周に係合部３１としての雄ねじを螺設し、上面視中央部分で二つに分割されて分割体として構成されている。
尚、本実施例では分割体の分割を二つとしているが、分割数に限定はない。また、雄ねじ部材３の内周面、つまり排水器２の取付部２１に取り付けられる面である内周面には、前記排水器２の取付部２１に構成された複数の突起に合致する複数の凹部に廻り止め部３３を構成する。当該廻り止め部３３を取付部２１の複数の突起に合致させることによって、排水器２に対して雄ねじ部材３が回転してしまうことがない。
被係合部材４としての雌ねじ部材４は、内周に被係合部４１としての雌ねじを螺設したリング体であって、排水器２の雄ねじ部と螺合する。また、被係合部材４の上端部分には、槽体１の裏面に当接する当接部４２を構成する。また、施工の際には雌ねじ部材４は排水器２の雄ねじ部と螺合して雌ねじ部材４が上方に移動し、槽体１の排水口１１の裏面に当接部４２が当接する。このとき、排水器２は槽体１の排水口１１にフランジ部２５によって係止されている為、槽体１の排水口１１を、フランジ部２５と雌ねじ部材４によって挟むことによって排水器２を槽体１に取り付けることができる。
排水管は、流出口に接続される管体であって、途中箇所に排水トラップと呼ばれる内部に排水の一部を貯水して封水を備えて、下流からの臭気や害虫を室内側へと流入させないようにする部材を介在させて、最終的には下水管へと接続される部材である。
【００２２】
上記の排水器の取付構造は以下のように施工される。
槽体１の排水口１１に排水器２を挿入する。この際、排水器２より側方に飛び出して構成される接続口２４があるため、先に接続口２４側を排水口１１内に挿入し、排水器２のフランジ部２５を水密部材を介して槽体１の排水口１１に係止させる。
そして、図１から図２に示すように槽体１の裏面から排水器２の取付部２１に雄ねじ部材３を取り付ける。取付方としては、排水器２の側面から取付部２１外周に構成した複数の突起に雄ねじ部材３の廻り止め部３３を合致させるように取り付ける。雄ねじ部材３が排水器２取付部２１に取り付けられた状態の雄ねじ部材３は、排水器２外周周囲を囲むように位置する上面視リング状となっている。
そして、図３のように雌ねじ部材４を槽体１の裏側から排水器２の接続口２４と外周を通過させ、雌ねじ部材４の雌ねじと排水器２の取付部２１に取り付けられた雄ねじ部材３の雄ねじを螺合させ、締めつけてゆく。このとき、雄ねじ部材３は廻り止め部３３によって排水器２の取付部２１に構成した複数の突起に合致しているので、雌ねじ部材４を回転させた際に雄ねじ部材３が排水器２に対し回転して供回りしない。よって、雌ねじ部材４を回転すると雄ねじ部材３と螺合するが排水器２は回転しないので適切に排水器２本体を槽体１にネジ螺合の取付を達成することできる。そうして雌ねじ部材４が上方に押し上げられ（雌ねじ部材４が槽体１裏面に近づく）、当接部４２が槽体１裏面に当接し槽体１の排水口１１の裏面近傍を押しける。そうすると排水器２はフランジ部２５によって排水口１１に係止されているので、図４、図６に示すように雌ねじ部材４の槽体１への押圧とフランジ部２５の係止により排水口１１を挟み込んで固定され、槽体１と排水器２が水密的に接続されることとなる。その後、排水器２の接続口２４に排水管を接続し、本実施例の排水器２の施工は完了する。
【００２３】
前記した排水器の取付構造の排水の流れは以下のようになる。
槽体１上に排水が発生すると、槽体１の排水口１１に取り付けられた排水器２の流入口２３から排水器２内に排水が流入する。そして、排水器２の側面に構成された接続口２４から排水管へ排水が排出され、排水器２内の排水は排水器２外へと排出される。排水管の排水は排水トラップを介して、最終的には下水管へと排出される。
【実施例２】
【００２４】
本実施例は、図６乃至図１１に示される、台所の流し台に用いられる排水器の取付構造である。
本実施例の排水器の取付構造は、槽体１と、排水器２と、係合部材３としての雄ねじ部材３と、被係合部材４としての雌ねじ部材４と、排水管と、から構成されている。
槽体１は、箱体の流し台であって、底部に排水を排水器２側へと排水させるための排水口１１を開口している。
排水器２は、前記槽体１の排水口１１に水密的に取り付けられる有底筒状の箱体であって、上面視円形状の流入口２３と、接続口２４と、フランジ部２５と、取付部２１と、から構成される。
流入口２３は、排水口１１の上端に位置して、槽体１内の排水を排水器２内部に流入させるための入り口の開口である。
接続口２４は、排水器２内部の排水を排水器２外へと排出する為のものであって、排水器２の側面から排水勾配を有した角度を備えつつ略水平方向へ向かって延出して構成される。
フランジ部２５は、排水器２の流入口２３側の上端に、外側方向に向けて鍔状に飛び出す形状を成す。また、施工時には当該フランジ部２５は水密部材を介して排水口１１に係止される。
取付部２１は、排水器２の外周のフランジ部２５の下方に構成される溝であって、後述する雄ねじ部材３が当該取付部２１に嵌め込まれる。また、当該取付部２１には、後述する廻り止め部３３と合致して雄ねじ部材３が排水器２に対して回転しないようにする為の受け部２２を構成する。当該受け部２２は本実施例においては取付部２１に構成した複数の突起から成る。また、本実施例では、図１１に示すように雄ねじ部材３が排水器２の取付部２１に取り付けられた際、雄ねじ部材３の切り欠き部の部分に相当する箇所を一部突出させて外周に係合部材３の一部を構成した第２係合部３２を排水器２の接続口２４の上部に構成した。このように第２係合部３２を構成したことから、ネジが排水器２の取付部２１全周に渡って螺設されることができる。雄ねじ部材３の足りない箇所を第２係合部３２によって補うことができるので、ネジ螺合がうまくいかないというようなことが無くなる。
係合部材３としての雄ねじ部材３は、前記排水器２の取付部２１に嵌め込まれる部材であって、図１１に示すように、一部切り欠いて構成された切り欠き部を備え、雄ねじ部材３を取付部２１に取り付けた状態時では上面視略Ｃ字状又は略Ｕ字状のリング体であって、外周に係合部３１としての雄ねじを螺設して成る。
また、雄ねじ部材３の内周面、つまり排水器２の取付部２１に取り付けられる面である内周面には、前記排水器２の取付部２１に構成された複数の突起に合致する複数の凹部に廻り止め部３３を構成する。当該廻り止め部３３を取付部２１の複数の突起に合致させることによって、排水器２に対して雄ねじ部材３が回転してしまうことがない。
被係合部材４としての雌ねじ部材４は、内周に被係合部４１としての雌ねじを螺設したリング体であって、排水器２の雄ねじ部と螺合する。また、被係合部材４の上端部分には、槽体１の裏面に当接する当接部４２を構成する。また、施工の際には雌ねじ部材４は排水器２の雄ねじ部と螺合して雌ねじ部材４が上方に移動し、槽体１の排水口１１の裏面に当接部４２が当接する。このとき、排水器２は槽体１の排水口１１にフランジ部２５によって係止されている為、槽体１の排水口１１を、フランジ部２５と雌ねじ部材４によって挟むことによって排水器２を槽体１に取り付けることができる。
排水管は、流出口に接続される管体であって、途中箇所に排水トラップと呼ばれる内部に排水の一部を貯水して封水を備えて、下流からの臭気や害虫を室内側へと流入させないようにする部材を介在させて、最終的には下水管へと接続される部材である。
【００２５】
上記の排水器２の取付構造は以下のように施工される。
槽体１の排水口１１に排水器２を挿入する。この際、排水器２より側方に飛び出して構成される接続口２４があるため、先に接続口２４側を排水口１１内に挿入し、排水器２のフランジ部２５を水密部材を介して槽体１の排水口１１に係止させる。
そして、図６から図７に示すように、槽体１の裏面から排水器２の取付部２１に雄ねじ部材３を取り付ける。取付方としては、排水器２の側面から取付部２１外周に雄ねじ部材３を水平方向に挿入する。そして、取付部２１に構成した複数の突起に雄ねじ部材３の廻り止め部３３を嵌合又は係合合致させる。そうすると雄ねじ部材３が排水器２取付部２１に取り付けられた状態の雄ねじ部材３は、図７のように第２係合部３２と組み合わさって排水器２外周周囲を囲むように位置する上面視リング状となり、結果的に取付部２１外周全周に渡って雄ねじが螺設されることとなる。
そして、図８に示すように、雌ねじ部材４を槽体１の裏側から排水器２の接続口２４と外周を通過させ、雌ねじ部材４の雌ねじと排水器２の取付部２１に取り付けられた雄ねじ部材３の雄ねじを螺合させ、締めつけてゆく。このとき、雄ねじ部材３は廻り止め部３３によって排水器２の取付部２１に構成した複数の突起に合致しているので、雌ねじ部材４を回転させた際に雄ねじ部材３が排水器２に対し回転して供回りしない。よって、雌ねじ部材４を回転すると雄ねじ部材３と螺合するが排水器２は回転しないので適切に排水器２本体を槽体１にネジ螺合の取付を達成することできる。そうして雌ねじ部材４が上方に押し上げられ（雌ねじ部材４が槽体１裏面に近づく）、当接部４２が槽体１裏面に当接し、槽体１の排水口１１の裏面近傍を押しける。そうすると排水器２はフランジ部２５によって排水口１１に係止されているので、図９及び図１０に示すように、雌ねじ部材４の槽体１への押圧とフランジ部２５の係止により排水口１１を挟み込んで固定され、槽体１と排水器２が水密的に接続されることとなる。その後、排水器２の接続口２４に排水管を接続し、本実施例の排水器２の施工は完了する。
【００２６】
前記した排水器の取付構造の排水の流れは以下のようになる。
槽体１上に排水が発生すると、槽体１の排水口１１に取り付けられた排水器２の流入口２３から排水器２内に排水が流入する。そして、排水器２の側面に構成された接続口２４から排水管へ排水が排出され、排水器２内の排水は排水器２外へと排出される。排水管の排水は排水トラップを介して、最終的には下水管へと排出される。
【実施例３】
【００２７】
本実施例は、図１２乃至図１７に示される、台所の流し台に用いられる排水器の取付構造である。
本実施例の排水器の取付構造は、槽体１と、排水器２と、係合部材３としての雄ねじ部材３と、被係合部材４としての雌ねじ部材４と、排水管と、から構成されている。
槽体１は、箱体の流し台であって、底部に排水を排水器２側へと排水させるための排水口１１を開口している。
排水器２は、前記槽体１の排水口１１に水密的に取り付けられる有底筒状の箱体であって、上面視円形状の流入口２３と、接続口２４と、フランジ部２５と、取付部２１と、から構成される。
流入口２３は、排水口１１の上端に位置して、槽体１内の排水を排水器２内部に流入させるための入り口の開口である。
接続口２４は、排水器２内部の排水を排水器２外へと排出する為のものであって、排水器２の側面から排水勾配を有した角度を備えつつ略水平方向へ向かって延出して構成される。
フランジ部２５は、排水器２の流入口２３側の上端に、外側方向に向けて鍔状に飛び出す形状を成す。また、施工時には当該フランジ部２５は水密部材を介して排水口１１に係止される。
取付部２１は、排水器２の外周のフランジ部２５の下方に構成される溝であって、後述する雄ねじ部材３が当該取付部２１に嵌め込まれる。また、当該取付部２１には、後述する廻り止め部３３と合致して雄ねじ部材３が排水器２に対して回転しないようにする為の受け部２２を構成する。当該受け部２２は本実施例においては取付部２１に構成した複数の突起から成る。また、本実施例では、図１７に示すように、雄ねじ部材３が排水器２の取付部２１に取り付けられた際、雄ねじ部材３の切り欠き部の部分に相当する箇所を一部突出させて外周に係合部材３の一部を構成した第２係合部３２を排水器２の接続口２４とは対抗する逆の位置に構成した。このように第２係合部３２を構成したことから、雄ネジが排水器２の取付部２１全周に渡って螺設されることができる。雄ねじ部材３の足りない箇所を第２係合部３２によって補うことができるので、ネジ螺合がうまくいかないというようなことが無くなる。
係合部材３としての雄ねじ部材３は、図１７に示すように、前記排水器２の取付部２１に嵌め込まれる部材であって、一部切り欠いて構成された切り欠き部を備え、雄ねじ部材３を取付部２１に取り付けた状態時では上面視略Ｃ字状又は略Ｕ字状のリング体であって、外周に係合部３１としての雄ねじを螺設して成る。また、雄ねじ部材３は、上面視外周の中心と、上面視内側面の中心とが偏芯して構成されており、また、雄ねじ部材３が排水器２の取付部２１に取り付けられた状態時の上面視雄ねじ部材３の外周と内側面の幅が最大となる箇所は排水器２の接続口２４付近となるように構成されている。
また、雄ねじ部材３の内周面、つまり排水器２の取付部２１に取り付けられる面である内周面には、前記排水器２の取付部２１に構成された複数の突起に合致する複数の凹部に廻り止め部３３を構成する。当該廻り止め部３３を取付部２１の複数の突起に合致させることによって、排水器２に対して雄ねじ部材３が回転してしまうことがない。
被係合部材４としての雌ねじ部材４は、内周に被係合部４１としての雌ねじを螺設したリング体であって、排水器２の雄ねじ部と螺合する。また、被係合部材４の上端部分には、槽体１の裏面に当接する当接部４２を構成する。また、施工の際には雌ねじ部材４は排水器２の雄ねじ部と螺合して雌ねじ部材４が上方に移動し、当接部４２が槽体１の排水口１１の裏面に当接する。このとき、排水器２は槽体１の排水口１１にフランジ部２５によって係止されている為、図９又は図１０に示すように槽体１の排水口１１を、フランジ部２５と雌ねじ部材４によって挟むことによって排水器２を槽体１に取り付けることができる。
排水管は、流出口に接続される管体であって、途中箇所に排水トラップと呼ばれる内部に排水の一部を貯水して封水を備えて、下流からの臭気や害虫を室内側へと流入させないようにする部材を介在させて、最終的には下水管へと接続される部材である。
【００２８】
上記の排水器の取付構造は以下のように施工される。
槽体１の排水口１１に排水器２を挿入する。この際、排水器２より側方に飛び出して構成される接続口２４があるため、先に接続口２４側を排水口１１内に挿入し、排水器２のフランジ部２５を水密部材を介して槽体１の排水口１１に係止させる。
そして、図１２から図１３に示すように、槽体１の裏面から排水器２の取付部２１に雄ねじ部材３を取り付ける。取付方としては、排水器２の側面から取付部２１外周に雄ねじ部材３を水平方向に挿入する。そして、取付部２１に構成した複数の突起に雄ねじ部材３の廻り止め部３３を嵌合又は係合合致させる。そうすると雄ねじ部材３が排水器２取付部２１に取り付けられた状態の雄ねじ部材３は、図１３に示すように第２係合部３２と組み合わさって排水器２外周周囲を囲むように位置する上面視リング状となり、結果的に取付部２１外周全周に渡って雄ねじが螺設されることとなる。
そして、図１４に示すように、雌ねじ部材４を槽体１の裏側から排水器２の接続口２４と外周を通過させ、雌ねじ部材４の雌ねじと排水器２の取付部２１に取り付けられた雄ねじ部材３の雄ねじを螺合させ、締めつけてゆく。このとき、雄ねじ部材３は廻り止め部３３によって排水器２の取付部２１に構成した複数の突起に合致しているので、雌ねじ部材４を回転させた際に雄ねじ部材３が排水器２に対し回転して供回りしない。よって、雌ねじ部材４を回転すると雄ねじ部材３と螺合するが排水器２は回転しないので適切に排水器２本体を槽体１にネジ螺合の取付を達成することできる。そうして雌ねじ部材４が上方に押し上げられ（雌ねじ部材４が槽体１裏面に近づく）、当接部４２が槽体１の裏面に当接し、当接部４２が槽体１の排水口１１の裏面近傍を押しける。そうすると排水器２はフランジ部２５によって排水口１１に係止されているので、図１５又は図１６に示すように雌ねじ部材４の槽体１への押圧とフランジ部２５の係止により排水口１１を挟み込んで固定され、槽体１と排水器２が水密的に接続されることとなる。その後、排水器２の接続口２４に排水管を接続し、本実施例の排水器２の施工は完了する。
【００２９】
前記した排水器の取付構造の排水の流れは以下のようになる。
槽体１上に排水が発生すると、槽体１の排水口１１に取り付けられた排水器２の流入口２３から排水器２内に排水が流入する。そして、排水器２の側面に構成された接続口２４から排水管へ排水が排出され、排水器２内の排水は排水器２外へと排出される。排水管の排水は排水トラップを介して、最終的には下水管へと排出される。
【実施例４】
【００３０】
本実施例は、図１８乃至図２２に示される、台所の流し台に用いられる排水器の取付構造である。
本実施例の排水器の取付構造は、槽体１と、排水器２と、係合部材３としての雄ねじ部材３と、被係合部材４としての雌ねじ部材４と、排水管と、から構成されている。
槽体１は、箱体の流し台であって、底部に排水を排水器２側へと排水させるための排水口１１を開口している。
排水器２は、前記槽体１の排水口１１に水密的に取り付けられる有底筒状の箱体であって、上面視円形状の流入口２３と、接続口２４と、フランジ部２５と、取付部２１と、から構成される。
流入口２３は、排水口１１の上端に位置して、槽体１内の排水を排水器２内部に流入させるための入り口の開口である。
接続口２４は、排水器２内部の排水を排水器２外へと排出する為のものであって、排水器２の側面から排水勾配を有した角度を備えつつ略水平方向へ向かって延出して構成される。
フランジ部２５は、排水器２の流入口２３側の上端に、外側方向に向けて鍔状に飛び出す形状を成す。また、施工時には当該フランジ部２５は水密部材を介して排水口１１に係止される。
取付部２１は、排水器２の外周のフランジ部２５の下方に構成される溝であって、後述する雄ねじ部材３が当該取付部２１に嵌め込まれる。また、当該取付部２１には、後述する廻り止め部３３と合致して雄ねじ部材３が排水器２に対して回転しないようにする為の受け部２２を構成する。当該受け部２２は本実施例においては取付部２１に構成した複数の突起から成る。
係合部材３としての雄ねじ部材３は、図１８に示すように、前記排水器２の取付部２１に嵌め込まれる部材であって、上面視外周の中心と、上面視内側面の中心とが偏芯して構成されており、雄ねじ部材３を取付部２１に取り付けた状態時では上面視リング状の略円形状であって、外周に係合部３１としての雄ねじを螺設し、上面視中央部分で二つに分割されて分割体として構成されている。尚、本実施例では分割体の分割を二つとしているが、分割数に限定はない。
また、図１９に示すように雄ねじ部材３が排水器２の取付部２１に取り付けられた状態時の上面視雄ねじ部材３の外周と内側面の幅が最大となる箇所は排水器２の接続口２４付近となるように構成されている。
また、雄ねじ部材３の内周面、つまり排水器２の取付部２１に取り付けられる面である内周面には、前記排水器２の取付部２１に構成された複数の突起に合致する複数の凹部に廻り止め部３３を構成する。当該廻り止め部３３を取付部２１の複数の突起に合致させることによって、排水器２に対して雄ねじ部材３が回転してしまうことがない。
被係合部材４としての雌ねじ部材４は、内周に被係合部４１としての雌ねじを螺設したリング体であって、排水器２の雄ねじ部と螺合する。また、被係合部材４の上端部分には、槽体１の裏面に当接する当接部４２を構成する。また、施工の際には雌ねじ部材４は排水器２の雄ねじ部と螺合して雌ねじ部材４が上方に移動し、当接部４２が槽体１の排水口１１の裏面に当接する。このとき、排水器２は槽体１の排水口１１にフランジ部２５によって係止されている為、槽体１の排水口１１を、フランジ部２５と雌ねじ部材４によって挟むことによって排水器２を槽体１に取り付けることができる。
排水管は、流出口に接続される管体であって、途中箇所に排水トラップと呼ばれる内部に排水の一部を貯水して封水を備えて、下流からの臭気や害虫を室内側へと流入させないようにする部材を介在させて、最終的には下水管へと接続される部材である。
【００３１】
上記の排水器の取付構造は以下のように施工される。
槽体１の排水口１１に排水器２を挿入する。この際、排水器２より側方に飛び出して構成される接続口２４があるため、先に接続口２４側を排水口１１内に挿入し、排水器２のフランジ部２５を水密部材を介して槽体１の排水口１１に係止させる。
そして、図１８から図１９に示すように、槽体１の裏面から排水器２の取付部２１に雄ねじ部材３を取り付ける。取付方としては、排水器２の側面から取付部２１外周に構成した複数の突起に雄ねじ部材３の廻り止め部３３を合致させるように取り付ける。雄ねじ部材３が排水器２取付部２１に取り付けられた状態の雄ねじ部材３は、排水器２外周周囲を囲むように位置する上面視リング状となっている。また、雄ねじ部材３は外周に対して内周が偏芯しているが、上面視外周と内周の幅が一番広い箇所が排水器２の接続口２４の上方に位置するようにする。このようにすることで、雌ねじ部材４と雄ねじ部材３を螺合させる際に雌ねじ部材４を排水器２外周で回転させなければならないが、その際、接続口２４の上方部分の雄ねじ部分の幅が一番広いので、接続口２４が回転の邪魔になることがない。
そして、図２０のように雌ねじ部材４を槽体１の裏側から排水器２の接続口２４と外周を通過させ、雌ねじ部材４の雌ねじと排水器２の取付部２１に取り付けられた雄ねじ部材３の雄ねじを螺合させ、締めつけてゆく。このとき、雄ねじ部材３は廻り止め部３３によって排水器２の取付部２１に構成した複数の突起に合致しているので、雌ねじ部材４を回転させた際に雄ねじ部材３が排水器２に対し回転して供回りしない。よって、雌ねじ部材４を回転すると雄ねじ部材３と螺合するが排水器２は回転しないので適切に排水器２本体を槽体１にネジ螺合の取付を達成することできる。そうして雌ねじ部材４が上方に押し上げられ（雌ねじ部材４が槽体１裏面に近づく）、当接部４２が槽体１裏面に当接し、当接部４２が槽体１の排水口１１の裏面近傍を押しける。そうすると排水器２はフランジ部２５によって排水口１１に係止されているので、図２１及び図２２に示すように雌ねじ部材４の槽体１への押圧とフランジ部２５の係止により排水口１１を挟み込んで固定され、槽体１と排水器２が水密的に接続されることとなる。その後、排水器２の接続口２４に排水管を接続し、本実施例の排水器２の施工は完了する。
【００３２】
前記した排水器の取付構造の排水の流れは以下のようになる。
槽体１上に排水が発生すると、槽体１の排水口１１に取り付けられた排水器２の流入口２３から排水器２内に排水が流入する。そして、排水器２の側面に構成された接続口２４から排水管へ排水が排出され、排水器２内の排水は排水器２外へと排出される。排水管の排水は排水トラップを介して、最終的には下水管へと排出される。
【００３３】
本発明は前記した実施例のほか、特許請求の範囲を越えない範囲で適宜変更は可能である。
上記実施例では係合部材３の係合部３１を雄ねじ、被係合部材４の被係合部４１を雌ねじとしているが、例えば係合部３１を凸部７、被係合部４１を凹溝６にし、被係合部材４を係合部材３に対して回転させた際に締めつけ固定することができるようにしても良い。また、図２４に示すように、凹溝６については螺旋による傾斜があり、溝に沿って回転させると図２４の矢印で示すように凸部７が上昇し、当該上昇に合わせて被係合部材４が上昇し、槽体１を押しつけて排水器２のフランジ部２５と槽体１の排水口１１を、フランジ部２５と被係合部材４とで挟持し、槽体１の排水口１１に排水器２を強固に取り付けることができる。また、図２４における凹溝６は係合部材又は被係合部のいずれに構成しても良い。
また、前記実施例では、係合部３１及び被係合部４１の雄ねじや雌ねじを全周に渡って構成しているが、これらのネジ構造の一部を螺設しない箇所を設けても構わない。
また、前記実施例では接続口２４は排水管に接続されているが、これは排水管に接続されることに限定されるものではなく、例えば槽体１のオーバーフロー配管が接続されたり、食器洗浄機等の別系統の排水管が排水器２内に流入する為の接続口２４であってもよい。
また、図２３に示すように、鋼板から成る土台部材５を排水口１１の裏面と被係合部３の間に介在させて、被係合部３の押し上げ力を適切に排水口１１の裏面に作用させて、槽体１の排水口１１に強固に取り付けることができる。
【符号の説明】
【００３４】
１    槽体
１１  排水口
２    排水器
２１  取付部
２２  受け部
２３  流入口
２４  接続口
２５  フランジ部
３    係合部材（雄ねじ部材）
３１  係合部
３２  第２係合部
３３  廻り止め部
４    被係合部材（雌ねじ部材）
４１  被係合部
４２  当接部
５    土台部材
６    凹溝
７    凸部
【図１】
2015206195.tif 000003
【図２】
2015206195.tif 000004
【図３】
2015206195.tif 000005
【図４】
2015206195.tif 000006
【図５】
2015206195.tif 000007
【図６】
2015206195.tif 000008
【図７】
2015206195.tif 000009
【図８】
2015206195.tif 000010
【図９】
2015206195.tif 000011
【図１０】
2015206195.tif 000012
【図１１】
2015206195.tif 000013
【図１２】
2015206195.tif 000014
【図１３】
2015206195.tif 000015
【図１４】
2015206195.tif 000016
【図１５】
2015206195.tif 000017
【図１６】
2015206195.tif 000018
【図１７】
2015206195.tif 000019
【図１８】
2015206195.tif 000020
【図１９】
2015206195.tif 000021
【図２０】
2015206195.tif 000022
【図２１】
2015206195.tif 000023
【図２２】
2015206195.tif 000024
【図２３】
2015206195.tif 000025
【図２４】
2015206195.tif 000026